【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
通信端末が基地局を介して認証サーバにログインすることにより、前記通信端末とネットワークとの通信が開始される通信システムにおける端末管理装置であって、
前記通信端末が前記認証サーバにログインした際の認証情報を記憶する認証情報記憶手段と、
前記通信端末と前記基地局との間のリンクの切断の発生または前記リンクに切断が発生することを推定させる事象の発生を検出する検出手段と、
前記検出手段により前記切断または前記事象の発生が検出された場合に、前記認証サーバにおいて前記通信端末がログイン状態であるか否かを判定する判定手段と、
前記判定手段により前記ログイン状態であると判定された場合に、前記認証情報記憶手段に記憶してある前記認証情報を用いて、前記認証サーバに対して前記通信端末のログアウトを実行するログアウト実行手段とを備えることを特徴とする端末管理装置。
【請求項２】
前記検出手段が検出する前記事象は、前記通信端末において電源オフ操作が実行されたことを含むことを特徴とする請求項１に記載の端末管理装置。
【請求項３】
前記検出手段が検出する前記事象は、前記通信端末においてバッテリ残量が所定値を下回ったことを含むことを特徴とする請求項１に記載の端末管理装置。
【請求項４】
前記検出手段が検出する前記事象は、前記通信端末と前記基地局との間の無線通信強度が所定値を下回ったことを含むことを特徴とする請求項１に記載の端末管理装置。
【請求項５】
前記端末管理装置は、前記基地局の一部を構成することを特徴とする請求項１乃至４のいずれか１項に記載の端末管理装置。
【請求項６】
前記端末管理装置は、前記通信端末の一部を構成することを特徴とする請求項１乃至４のいずれか１項に記載の端末管理装置。
【請求項７】
前記通信端末が所定の手順で前記認証サーバからログアウトしたか否かを監視し、ログアウトした場合にはその旨を示すログアウト情報を記憶するログアウト管理手段を更に備え、
前記判定手段は、前記ログアウト情報を参照して前記認証サーバにおいて前記通信端末がログイン状態であることを検出することを特徴とする請求項１乃至６のいずれか１項に記載の端末管理装置。
【請求項８】
前記検出手段は、更に、前記ログアウト情報が未ログアウトを示す場合に、前記認証情報を用いて前記認証サーバに対してセッション確認を行うことにより、前記認証サーバにおいて前記通信端末がログイン状態であることを検出することを特徴とする請求項７に記載の端末管理装置。
【請求項９】
通信端末が複数の基地局の一つを介して認証サーバにログインすることにより前記通信端末とネットワークとの通信が開始される通信システムにおいて、前記複数の基地局の各々に対応して設けられる端末管理装置であって、
通信端末が前記認証サーバにログインした際の認証情報を記憶する認証情報記憶手段と、
他の端末管理装置より所定の通信端末が前記認証サーバにおいてログアウトされた状態にあるか否かを問い合わせるログアウト判定要求を受信する受信手段と、
前記受信手段により前記ログアウト判定要求を受信した場合に、前記認証サーバにおいて前記所定の通信端末がログイン状態であるか否かを判定する判定手段と、
前記判定手段により、前記ログイン状態であると判定された場合に、前記認証情報記憶手段に記憶してある前記所定の通信端末の前記認証情報を用いて、前記認証サーバに対して前記所定の通信端末のログアウトを実行するログアウト実行手段とを備えることを特徴とする端末管理装置。
【請求項１０】
通信端末より前記基地局を介して前記認証サーバへのログイン要求がなされた場合に、前記認証サーバへの当該ログイン要求の送信を行わずに、保留する保留手段と、
前記ログイン要求を行った通信端末について前記ログアウト判定要求を他の端末管理装置へ送信する送信手段と、
前記送信手段による前記ログアウト判定要求に応じて前記他の端末管理装置からログアウト終了の通知を受信することにより、前記保留手段による保留状態を解除し、前記ログイン要求を前記認証サーバに送信してログインを実行する実行手段とを更に備えることを特徴とする請求項９に記載の端末管理装置。
【請求項１１】
前記送信手段により前記ログアウト判定要求を送信する先の他の端末管理装置は、自身の位置より所定範囲に存在する端末管理装置に限られることを特徴とする請求項１０に記載の端末管理装置。
【請求項１２】
通信端末が基地局を介して認証サーバにログインすることにより、前記通信端末とネットワークとの通信が開始される通信システムにおける端末管理装置の制御方法であって、
認証情報記憶手段が、前記通信端末が前記認証サーバにログインした際の認証情報を記憶する認証情報記憶工程と、
検出手段が、前記通信端末と前記基地局との間のリンクの切断の発生または前記リンクに切断が発生することを推定させる事象の発生を検出する検出工程と、
前記検出工程で前記切断または前記事象の発生が検出された場合に、判定手段が前記認証サーバにおいて前記通信端末がログイン状態であるか否かを判定する判定工程と、
前記判定工程で前記ログイン状態であると判定された場合に、ログアウト実行手段が前記認証情報記憶手段に記憶してある前記認証情報を用いて、前記認証サーバに対して前記通信端末のログアウトを実行するログアウト実行手段とを有することを特徴とする端末管理装置の制御方法。
【請求項１３】
通信端末が複数の基地局の一つを介して認証サーバにログインすることにより前記通信端末とネットワークとの通信が開始される通信システムにおいて、前記複数の基地局の各々に対応して設けられる端末管理装置の制御方法であって、
認証情報記憶手段が、通信端末が前記認証サーバにログインした際の認証情報を記憶する認証情報記憶工程と、
受信手段が、他の端末管理装置より所定の通信端末が前記認証サーバにおいてログアウトされた状態にあるか否かを問い合わせるログアウト判定要求を受信する受信工程と、
前記受信工程で前記ログアウト判定要求を受信した場合に、判定手段が前記認証サーバにおいて前記所定の通信端末がログイン状態であるか否かを判定する判定工程と、
前記判定工程で前記ログイン状態であると判定された場合に、ログアウト実行手段が前記認証情報記憶工程で記憶した前記所定の通信端末の前記認証情報を用いて、前記認証サーバに対して前記所定の通信端末のログアウトを実行するログアウト実行工程とを有することを特徴とする端末管理装置の制御方法。
【請求項１４】
請求項１２または１３に記載の制御方法の各工程をコンピュータに実行させるためのプログラム。
【手続補正２】
【補正対象書類名】明細書
【補正対象項目名】００１０
【補正方法】変更
【補正の内容】
【００１０】
上記の目的を達成するための本発明の一態様による端末管理装置は以下の構成を備える。すなわち、
通信端末が基地局を介して認証サーバにログインすることにより、前記通信端末とネットワークとの通信が開始される通信システムにおける端末管理装置であって、
前記通信端末が前記認証サーバにログインした際の認証情報を記憶する認証情報記憶手段と、
前記通信端末と前記基地局との間のリンクの切断の発生または前記リンクに切断が発生することを推定させる事象の発生を検出する検出手段と、
前記検出手段により前記切断または前記事象の発生が検出された場合に、前記認証サーバにおいて前記通信端末のログイン状態であるか否かを判定する判定手段と、
前記判定手段により前記ログイン状態であると判定された場合に、前記認証情報記憶手段に記憶してある前記認証情報を用いて、前記認証サーバに対して前記通信端末のログアウトを実行するログアウト実行手段とを備える。